【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
潜像部と背景部とを含む地紋画像を生成する画像処理装置であって、
潜像部の濃度パラメータと背景部の濃度パラメータの双方を変化させて複数の地紋画像パッチを生成し、当該生成された複数の地紋画像パッチを配置した試し刷り画像を出力する地紋画像パッチ群出力手段と、
前記試し刷り画像に配置された複数の地紋画像パッチのうちの一つの地紋画像パッチを示す情報を、ユーザの指示に基づいて入力する入力手段と、
前記入力手段で入力された情報が示す地紋画像パッチの生成に用いられた濃度パラメータに基づいて、地紋画像を生成する地紋画像生成手段とを有し、
前記地紋画像パッチ群出力手段で出力される試し刷り画像において、
第１の方向には潜像部の濃度パラメータが変化した地紋画像パッチが並んでおり、且つ、前記第１の方向とは異なる第２の方向には背景部の濃度パラメータが変化した地紋画像パッチが並んでいることを特徴とする画像処理装置。
【請求項２】
潜像部と背景部とを含む地紋画像を生成する画像処理装置であって、
複数の地紋画像パッチを配置した試し刷り画像を出力する地紋画像パッチ群出力手段と、
前記試し刷り画像に配置された複数の地紋画像パッチのうちの一つの地紋画像パッチを示す情報を、ユーザの指示に基づいて入力する入力手段と、
前記入力手段で入力された情報が示す地紋画像パッチの生成に用いられた濃度パラメータに基づいて、地紋画像を生成する地紋画像生成手段とを有し、
前記地紋画像パッチ出力手段は、
前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを配置した試し刷り画像を出力することを特徴とする画像処理装置。
【請求項３】
潜像部と背景部とを含む地紋画像を生成する画像処理装置であって、
複数の地紋画像パッチを二次元的に配置した試し刷り画像を出力する地紋画像パッチ群出力手段と、
前記試し刷り画像に配置された複数の地紋画像パッチのうちの一つの地紋画像パッチを示す情報を、ユーザの指示に基づいて入力する入力手段と、
前記入力手段で入力された情報が示す地紋画像パッチの生成に用いられた濃度パラメータに基づいて、地紋画像を生成する地紋画像生成手段とを有し、
前記地紋画像パッチ出力手段は、
前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを二次元的に配置した試し刷り画像を出力することを特徴とする画像処理装置。
【請求項４】
前記地紋画像パッチ群出力手段は、
前記複数の地紋画像パッチにおける各地紋画像パッチの夫々を示す情報を更に出力することを特徴とする請求項１乃至３の何れか一項に記載の画像処理装置。
【請求項５】
前記地紋画像パッチ群出力手段は、
前記第１の方向と前記第２の方向とのうちのいずれか一方の方向において各地紋画像パッチ同士の間隔が無いように、前記生成された複数の地紋画像パッチを配置した試し刷り画像を出力することを特徴とする請求項１乃至３の何れか一項に記載の画像処理装置。
【請求項６】
前記地紋画像パッチ群出力手段は、
カモフラージュが含まれるように複数の地紋画像パッチを生成し、当該生成された複数の地紋画像パッチを配置した試し刷り画像を出力することを特徴とする請求項１乃至３の何れか一項に記載の画像処理装置。
【請求項７】
前記地紋画像パッチ群出力手段は、
潜像部の濃度パラメータと背景部の濃度パラメータとの他に、潜像部と背景部を示す潜像背景領域指定画像を更に用いて複数の地紋画像パッチを生成し、当該生成された複数の地紋画像パッチを配置した試し刷り画像を出力することを特徴とする請求項１乃至３の何れか一項に記載の画像処理装置。
【請求項８】
前記潜像背景領域指定画像は、文字を示す画像であることを特徴とする請求項７に記載の画像処理装置。
【請求項９】
前記潜像背景領域指定画像は、矩形を示す画像であることを特徴とする請求項７に記載の画像処理装置。
【請求項１０】
潜像部と背景部とを含む地紋画像を生成する画像処理方法であって、
潜像部の濃度パラメータと背景部の濃度パラメータの双方を変化させて複数の地紋画像パッチを生成し、当該生成された複数の地紋画像パッチを配置した試し刷り画像を出力する地紋画像パッチ群出力工程と、
前記試し刷り画像に配置された複数の地紋画像パッチのうちの一つの地紋画像パッチを示す情報を、ユーザの指示に基づいて入力する入力工程と、
前記入力工程で入力された情報が示す地紋画像パッチの生成に用いられた濃度パラメータに基づいて、地紋画像を生成する地紋画像生成工程とを有し、
前記地紋画像パッチ群出力工程で出力される試し刷り画像において、
第１の方向には潜像部の濃度パラメータが変化した地紋画像パッチが並んでおり、且つ、前記第１の方向とは異なる第２の方向には背景部の濃度パラメータが変化した地紋画像パッチが並んでいることを特徴とする画像処理方法。
【請求項１１】
潜像部と背景部とを含む地紋画像を生成する画像処理方法であって、
複数の地紋画像パッチを配置した試し刷り画像を出力する地紋画像パッチ群出力工程と、
前記試し刷り画像に配置された複数の地紋画像パッチのうちの一つの地紋画像パッチを示す情報を、ユーザの指示に基づいて入力する入力工程と、
前記入力工程で入力された情報が示す地紋画像パッチの生成に用いられた濃度パラメータに基づいて、地紋画像を生成する地紋画像生成工程とを有し、
前記地紋画像パッチ出力工程は、
前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを配置した試し刷り画像を出力することを特徴とする画像処理方法。
【請求項１２】
潜像部と背景部とを含む地紋画像を生成する画像処理方法であって、
複数の地紋画像パッチを二次元的に配置した試し刷り画像を出力する地紋画像パッチ群出力工程と、
前記試し刷り画像に配置された複数の地紋画像パッチのうちの一つの地紋画像パッチを示す情報を、ユーザの指示に基づいて入力する入力工程と、
前記入力工程で入力された情報が示す地紋画像パッチの生成に用いられた濃度パラメータに基づいて、地紋画像を生成する地紋画像生成工程とを有し、
前記地紋画像パッチ出力工程は、
前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを二次元的に配置した試し刷り画像を出力することを特徴とする画像処理方法。
【請求項１３】
前記地紋画像パッチ群出力工程は、
前記複数の地紋画像パッチにおける各地紋画像パッチの夫々を示す情報を更に出力することを特徴とする請求項１０乃至１２の何れか一項に記載の画像処理方法。
【請求項１４】
前記地紋画像パッチ群出力工程は、
前記第１の方向と前記第２の方向とのうちのいずれか一方の方向において各地紋画像パッチ同士の間隔が無いように、前記生成された複数の地紋画像パッチを配置した試し刷り画像を出力することを特徴とする請求項１０乃至１２の何れか一項に記載の画像処理方法。
【請求項１５】
前記地紋画像パッチ群出力工程は、
カモフラージュが含まれるように複数の地紋画像パッチを生成し、当該生成された複数の地紋画像パッチを配置した試し刷り画像を出力することを特徴とする請求項１０乃至１２の何れか一項に記載の画像処理方法。
【請求項１６】
前記地紋画像パッチ群出力工程は、
潜像部の濃度パラメータと背景部の濃度パラメータとの他に、潜像部と背景部を示す潜像背景領域指定画像を更に用いて複数の地紋画像パッチを生成し、当該生成された複数の地紋画像パッチを配置した試し刷り画像を出力することを特徴とする請求項１０乃至１２の何れか一項に記載の画像処理方法。
【請求項１７】
前記潜像背景領域指定画像は、文字を示す画像であることを特徴とする請求項１６に記載の画像処理方法。
【請求項１８】
前記潜像背景領域指定画像は、矩形を示す画像であることを特徴とする請求項１６に記載の画像処理方法。
【請求項１９】
請求項１０乃至１８の何れか一項に記載の画像処理方法の各手順をコンピュータに実行させるためのプログラム。
【請求項２０】
請求項１９に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】００２６
【補正方法】変更
【補正の内容】
【００２６】
本発明は、潜像部と背景部とを含む地紋画像を生成する画像処理装置であって、潜像部の濃度パラメータと背景部の濃度パラメータの双方を変化させて複数の地紋画像パッチを生成し、当該生成された複数の地紋画像パッチを配置した試し刷り画像を出力する地紋画像パッチ群出力手段と、前記試し刷り画像に配置された複数の地紋画像パッチのうちの一つの地紋画像パッチを示す情報を、ユーザの指示に基づいて入力する入力手段と、前記入力手段で入力された情報が示す地紋画像パッチの生成に用いられた濃度パラメータに基づいて、地紋画像を生成する地紋画像生成手段とを有し、前記地紋画像パッチ群出力手段で出力される試し刷り画像において、第１の方向には潜像部の濃度パラメータが変化した地紋画像パッチが並んでおり、且つ、前記第１の方向とは異なる第２の方向には背景部の濃度パラメータが変化した地紋画像パッチが並んでいることを特徴とする。
【手続補正４】
【補正対象書類名】明細書
【補正対象項目名】００２７
【補正方法】変更
【補正の内容】
【００２７】
また、本発明は、潜像部と背景部とを含む地紋画像を生成する画像処理装置であって、複数の地紋画像パッチを配置した試し刷り画像を出力する地紋画像パッチ群出力手段と、前記試し刷り画像に配置された複数の地紋画像パッチのうちの一つの地紋画像パッチを示す情報を、ユーザの指示に基づいて入力する入力手段と、前記入力手段で入力された情報が示す地紋画像パッチの生成に用いられた濃度パラメータに基づいて、地紋画像を生成する地紋画像生成手段とを有し、前記地紋画像パッチ出力手段は、前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを配置した試し刷り画像を出力することを特徴とする。
更に、本発明は、潜像部と背景部とを含む地紋画像を生成する画像処理装置であって、複数の地紋画像パッチを二次元的に配置した試し刷り画像を出力する地紋画像パッチ群出力手段と、前記試し刷り画像に配置された複数の地紋画像パッチのうちの一つの地紋画像パッチを示す情報を、ユーザの指示に基づいて入力する入力手段と、前記入力手段で入力された情報が示す地紋画像パッチの生成に用いられた濃度パラメータに基づいて、地紋画像を生成する地紋画像生成手段とを有し、前記地紋画像パッチ出力手段は、前記試し刷り画像における第１の方向では潜像部の濃度パラメータを変化させ、且つ、前記第１の方向とは異なる第２の方向では背景部の濃度パラメータを変化させることで、複数の地紋画像パッチを生成し、当該生成された複数の地紋画像パッチを二次元的に配置した試し刷り画像を出力することを特徴とする。
【手続補正５】
【補正対象書類名】明細書
【補正対象項目名】００２８
【補正方法】変更
【補正の内容】
【００２８】
本発明によれば、潜像部と背景部の濃度を変化させた複数の地紋画像パッチを配置した試し刷り画像を出力し、その試し刷り画像から潜像部と背景部の濃度が等しく、複写後に潜像が現れる地紋画像を生成することができる。